(57)【特許請求の範囲】
【請求項１】
インストルメントパネルに設けたスピーカー用の開口部にスピーカーカバーの爪が係止する係合部を設け、該係合部の下縁部に切欠凹部を形成すると共に、前記スピーカーカバーの爪の表面に前記切欠凹部に嵌合する係合突起部を設けたことを特徴とする合成樹脂部品の係合構造。
【請求項２】
前記係合部の前記切欠凹部および前記係合突起部を縦方向に設けたことを特徴とする請求項１記載の合成樹脂部品の係合構造。
【発明の詳細な説明】
【０００１】
【発明の属する技術分野】
本発明は、インストルメントパネルに形成されたスピーカー用の開口部と、この開口部を覆うスピーカーカバーに設けた取付爪との係合部分を改良した合成樹脂部品の係合構造に関するものである。
【０００２】
【従来の技術】
図４に示すように、例えば、インストルメントパネル１の左右にはラジオやカセットデッキ等オーディオのスピーカー（図示なし）を取り付けるための開口部１ａが設けられている。この開口部１ａにスピーカーを取り付けた後、その上部から、図５に示すような、スピーカーカバー２を取り付ける。スピーカーカバー２の取り付けは、スピーカーカバー２の周縁の五か所より下方に突設した爪３を開口部１ａの内周部に設けた係合部４に嵌め込むことによって行われている。インストルメントパネル１及び、スピーカーカバー２の爪３は共に合成樹脂製であるので、スピーカーカバー２を強く押し付けることによって、爪３等が撓んで爪３と係合部４とが容易に係合する。
【０００３】
開口部１ａの内周壁には段部５が形成されており、この段部５の一部を取り除くように切り欠いて前記係合部４が形成されている。スピーカーカバー２を開口部１ａに取り付けた場合、図６に示すように、スピーカーカバー２の周縁部下面２ａを段部５の上部に載置すると共に、周縁部下面２ａより突設させた爪３を段部５の下端部に係止させている。
【０００４】
なお、インストルメントパネルとして、実開平７−９６４０号公報に開示されているものがある。この公報のものは、インストルメントパネル本体のフロントウインド側中程を覆う樹脂製カバーの裏面に、車幅方向外側方に突出する係止爪を有する一対の突起を設け、該突起をデフグリルに設けた第一貫通孔を貫通させ、該第一貫通孔縁部がデフグリルの熱収縮により前記突起を押圧するものである。
【０００５】
【発明が解決しようとする課題】
以上説明した従来技術においては、爪３が係合する係合部４には段部５が設けられており、この段部５の肉厚を一定するためには、段部５の裏側も段付形状にすべきであるが、型抜きが図６に示す矢印６で示す方向であるため、段部５の裏側に惰肉部７が残って、係合部４全体の肉厚が厚くなり、冷却後、インストルメントパネル１の表面にヒケ８が生じる虞がある。また、段部５の肉厚が厚くなると、スピーカーカバー２の爪３が係合部４に係りにくくなる虞もある。
なお、実開平７−９６４０号公報に開示されているインストルメントパネルは、樹脂製カバーの裏面に設けた係止爪を有する突起をデフグリルに設けた第一貫通孔に貫通させているものであるが、型抜き時にヒケを発生しないようにする本発明の課題を解決しているものではない。
【０００６】
本発明は、この点に鑑みてなされたものであり、インストルメントパネルの、スピーカーカバーの爪が係合する部位に切り欠きを形成してヒケの発生を回避させると共に、スピーカーカバーの爪に前記切り欠きに係合する突起を形成させて、爪の係合を良くした合成樹脂部品の係合構造を提供することを目的とする。
【０００７】
【課題を解決するための手段】
本発明は、上記課題を解決するための手段として、請求項１に記載された発明によれば、インストルメントパネルに設けたスピーカー用の開口部にスピーカーカバーの爪が係止する係合部を設け、該係合部の下縁部に切欠凹部を形成すると共に、前記スピーカーカバーの爪の表面に前記切欠凹部に嵌合する係合突起部を設けたことを特徴とするものである。
【０００８】
また、請求項２に記載された発明によれば、請求項１に記載されたものにおいて、前記係合部の前記切欠凹部および前記係合突起部を縦方向に設けたことを特徴とするものである。
【０００９】
請求項１に記載した発明は、インストルメントパネルの開口部の、スピーカーカバーの爪が係止する係合部に切欠凹部を形成して、インストルメントパネルの型抜きの際にヒケが生じないようにすると共に、スピーカーカバーの爪に係合突起部を設けて、スピーカーカバーをインストルメントパネルの開口部に取り付ける際、係合突起部を係合部の切欠凹部に嵌合させて位置決めにする。
【００１０】
請求項２に記載した発明は、係合突起部と切欠凹部とを縦方向に設けたので、爪の係合突起部が係合部の切欠凹部に嵌合され、爪が係合部に係合された後、爪は、その係合方向に対して略垂直方向の位置が規制される。
【００１１】
【発明の実施の形態】
以下、本発明の実施の形態を、要部を模式的に示した図１に基づき、図４乃至図６と同一の部分には同一の符号を付して説明する。図４に示すように、インストルメントパネル１の両側には夫々、オーディオ等のスピーカー（図示なし）を取り付けるための開口部１ａが設けられている。この開口部１ａにスピーカーを装着した後、スピーカーの上部をスピーカーカバー２で覆って外観を良くしている。
【００１２】
上記開口部１ａ及びスピーカーカバー２の構成について説明する。なお、左右の開口部１ａ及びスピーカーカバー２は共に同じものなので、図４における右側のものを例示して詳述する。図１において、下側に示されているものがスピーカーを取り付ける開口部１ａであり、上側に示されているものが、この開口部１ａに取り付けられるスピーカーカバー２である。開口部１ａの内周部には段部５が形成されており、段部５には段部５をさらに凹ますように切り欠いて形成した係合部４が設けられている。係合部４は実際に五か所設けられているが、図１においては正確な図を一つだけ示している。このようにして形成した係合部４にはスピーカーカバー２の爪３が係合する。
【００１３】
開口部１ａに設けられた係合部４の下縁部の略中央の裏側には切欠凹部９が縦方向に設けられている。切欠凹部９は、型抜きの際、ヒケ８が発生する係合部４にだけ設けられているが、係合部４でもヒケ８が発生しない部位には切欠凹部９を設ける必要はない。また、図１の爪３の部分を拡大した図２に示すように、係合部４に係合するスピーカーカバー２の爪３の表面の中央部には、縦方向の係合突起部１０が形成されている。係合突起部１０は係合部４の切欠凹部９に嵌合する大きさのものである。
【００１４】
以上説明したように構成したことにより、インストルメントパネル１の開口部１ａの、スピーカーカバー２の爪３が係合する係合部４の部位に切欠凹部９を設けて係合部４の段部５の高さＨの一部を従来のもの（図６）に比べて短かくする。これによって係合部４の段部５の裏側の肉厚を薄く、すなわち、惰肉部７を減少させることができる。したがって、型抜きの際、インストルメントパネル１の開口部１ａの周縁の表面に発生するヒケ８（図６参照）をなくすことができる。また、惰肉部７がなくなれば、肉厚が薄くなり係合部４の段部５の下端部にスピーカーカバー２の爪３を確実に係合させることができる。
【００１５】
さらに、スピーカーカバー２の爪３の表面に係合部４の切欠凹部９に嵌合する係合突起部１０を設けたことにより、図３に示すように、スピーカーカバー２をインストルメントパネル１の開口部１ａに装着した際、係合突起部１０は切欠凹部９に嵌合してスピーカーカバー２の装着時の位置決めをすることができる。さらに、スピーカーカバー２を装着した際には、スピーカーカバー２の爪３は係合部４の段部５の下端に係合すると共に、スピーカーカバー２の周縁部下面２ａは係合部４の段部５に載置される。なお、係合突起部１０を設けた爪３の裏側にはヒケが生じる虞があるが、見えない場所であるため、外観を損なうことはない。
【００１６】
【発明の効果】
本発明は、以上説明したように構成された合成樹脂部品の係合構造であるから、請求項１に記載された発明によれば、インストルメントパネルのスピーカー装着部に設けた、スピーカーカバーの爪が係止する係合部に切欠凹部を形成したので、インストルメントパネルの型抜きの際のヒケの発生をなくすことができる。また、スピーカーカバーの爪に係合突起部を設けたので、スピーカーカバーをインストルメントパネルの開口部に装着する際、この係合突起部がインストルメントパネルの切欠凹部に嵌合して位置決めをすることができる。これによって、スピーカーカバーの爪と、係合部との係合力を向上させることができる。
【００１７】
また、請求項２に記載された発明によれば、爪が係合部に係合された後、爪は、その係合方向に対して略垂直方向の位置が規制されるので、より確実に係合できるとともに、係合後のガタ付きを防止することができる。
【図面の簡単な説明】
【図１】本発明の実施の形態の要部を概略的に示した斜視図である。
【図２】図１に示すもののＡ矢視図である。
【図３】図１に示すもののＢ−Ｂ線に沿う断面図である。
【図４】インストルメントパネルを説明するための斜視図である。
【図５】従来のインストルメントパネルの開口部と、この開口部に装着するスピーカーカバーの斜視図である。
【図６】図５に示すもののＣ−Ｃ線に沿う断面図である。
【符号の説明】
１  インストルメントパネル，１ａ  開口部，２  スピーカーカバー，３  爪，４  係合部，９  切欠凹部，１０  係合突起部
【図１】
0003894268.tif 000002
【図２】
0003894268.tif 000003
【図３】
0003894268.tif 000004
【図４】
0003894268.tif 000005
【図５】
0003894268.tif 000006
【図６】
0003894268.tif 000007